(57)【特許請求の範囲】
【請求項１】
框組みされた中桟、下框および両縦框により構成された浴室用扉の下パネル装着部に対し、けんどん式で着脱可能に装着される着脱用パネル体であって、
前記中桟の下向き溝に下側から挿入される上縁材、前記下框の上向き溝に上側から挿入される下縁材、および両縦縁材を、枠組みして成る四周縁材と、
前記四周縁材に装着された面材パネルと、
けんどん動作を行うための、浴室側の内指掛け部および脱衣室側の外指掛け部と、を備え、
前記上縁材は、前記面材パネルが装着される上縁材本体と、前記上縁材本体に設けられ、前記下向き溝に挿入されると共に曲げにより前記上縁材本体の見込み方向への傾動を許容する傾動許容部と、を有し、
前記内指掛け部および前記外指掛け部のうちの少なくとも一方は、前記上縁材に設けた下向き指掛け片と、前記下縁材に設けた上向き指掛け片と、を有し、
前記下向き指掛け片および前記上向き指掛け片は、それぞれ前記面材パネルとオーバーラップするように設けられていることを特徴とする着脱用パネル体。
【請求項２】
前記傾動許容部は、
前記上縁材本体に取り付けられた上挿入ベースと、前記下向き溝に挿入されると共に、前記上挿入ベースに回動自在に連結された上挿入部と、を有していることを特徴とする請求項１に記載の着脱用パネル体。
【請求項３】
前記四周縁材は、前記上縁材および前記下縁材に対し前記縦縁材が通しで枠組みされ、
前記上挿入ベースは、前記上縁材本体を上側から覆うと共に、前記四周縁材の横方向寸法に対応する長さに形成されていることを特徴とする請求項２に記載の着脱用パネル体。
【請求項４】
前記上挿入部は、前記四周縁材の横方向寸法に対応する長さに形成され、
前記上挿入部の浴室側には、下り傾斜の水返し片が設けられていることを特徴とする請求項２または３に記載の着脱用パネル体。
【請求項５】
前記上挿入ベースおよび前記上挿入部の少なくとも一方には、前記上縁材本体の見込み方向浴室側への傾動を規制する内側傾動規制部が設けられていることを特徴とする請求項２ないし４のいずれかに記載の着脱用パネル体。
【請求項６】
前記上挿入ベースおよび前記上挿入部の少なくとも一方には、前記上縁材本体の見込み方向脱衣室への傾動を所定の傾動角度に規制する外側傾動規制部が設けられていることを特徴とする請求項２ないし５のいずれかに記載の着脱用パネル体。
【請求項７】
前記下縁材は、前記面材パネルが装着される下縁材本体と、前記下縁材本体に設けられ、前記上向き溝に挿入される下挿入部が突設された下装着部と、を有していることを特徴とする請求項１ないし６のいずれかに記載の着脱用パネル体。
【請求項８】
前記四周縁材は、前記上縁材および前記下縁材に対し前記縦縁材が通しで枠組みされ、
前記下装着部は、前記下縁材本体を下側から覆うと共に、前記四周縁材の横方向寸法に対応する長さに形成されていることを特徴とする請求項７に記載の着脱用パネル体。
【請求項９】
前記各縦縁材は、前記面材パネルが装着される縦縁材本体と、前記縦縁材本体に取り付けられ、対応する前記縦框に密接するシール材と、を有し、
前記シール材は、浴室側の内側シール材と、脱衣室側の外側シール材とから成ることを特徴とする請求項１ないし８のいずれかに記載の着脱用パネル体。
【請求項１０】
框組みされた中桟、下框および両縦框により構成された浴室用扉の下パネル装着部に対し、けんどん式で着脱可能に装着される着脱用パネル体であって、
前記中桟の下向き溝に下側から挿入される上縁材、前記下框の上向き溝に上側から挿入される下縁材、および両縦縁材を、枠組みして成る四周縁材と、
前記四周縁材に装着された面材パネルと、を備え、
前記上縁材は、前記面材パネルが装着される上縁材本体と、前記上縁材本体に設けられ、前記下向き溝に挿入されると共に曲げにより前記上縁材本体の見込み方向への傾動を許容する傾動許容部と、を有し、
前記傾動許容部は、
前記上縁材本体に取り付けられた上挿入ベースと、前記上挿入ベースに取り付けられ、前記下向き溝に挿入されると共に湾曲変形可能に構成された変形挿入部と、を有していることを特徴とする着脱用パネル体。
【請求項１１】
框組みされた中桟、下框および両縦框により構成された浴室用扉の下パネル装着部に、
請求項１ないし１０のいずれかに記載の着脱用パネル体を、装着して成ることを特徴とする浴室用扉。
【請求項１２】
框組みした上框、中桟、下框および両縦框と、前記上框、前記中桟および前記両縦框により構成された上パネル装着部に装着された上パネルと、前記中桟、前記下框および前記両縦框により構成された下パネル装着部に装着された下パネルと、を備えた既設の浴室用扉に、
請求項１ないし１０のいずれかに記載の着脱用パネル体を取り付ける浴室用扉の改修方法であって、
前記下パネル装着部から前記下パネルを取り外す取外し工程と、
前記下パネル装着部の内法を採寸する採寸工程と、
前記内法の採寸結果に基づいて、前記着脱用パネル体を現場組立てする組立工程と、
前記下パネル装着部に、組み立てた前記着脱用パネル体を装着する装着工程と、を備えたことを特徴とする浴室用扉の改修方法。
【請求項１３】
前記組立工程では、前記取外し工程で取り外した前記下パネルを切り詰めて、前記面材パネルを形成することを特徴とする請求項１２に記載の浴室用扉の改修方法。
【発明の詳細な説明】
【技術分野】
【０００１】
本発明は、非常時の救出口や脱出口となるように、浴室ドア、浴室引き戸、浴室折り戸等の浴室用扉の下部パネル装着部に装着される着脱用パネル体、浴室用扉および浴室用扉の改修方法に関するものである。
【背景技術】
【０００２】
従来、この種の着脱用パネル体として、浴室折り戸に着脱自在に装着されるパネル体が知られている（特許文献１参照）。この浴室折り戸は、第１ドアと第２ドアとを折り畳み自在に連結して成り、第１ドアの下側の第２開口には、アタッチメントを介して、上記のパネル体が取り外し自在に取り付けられている。パネル体は、上框、下框、左縦框、右縦框より成る框組体に、パネルを装着して構成されている。また、左縦框の外面には、板ばねがビス止めされている。
第１ドアの左右の縦枠（縦框）、中間横枠（中桟）および下枠（下框）により構成される第２開口には、左右縦アタッチメントおよび上下横アタッチメントから成る四周枠状のアタッチメントが取り付けられている。左右縦アタッチメントおよび上下横アタッチメントの内側には、四周連続するように気密材が装着されている。そして、パネル体は、このアタッチメントに、脱衣室側から左右けんどん式で取り外し自在にかつ水密に取り付けられている。
パネル体を取り外すことにより、緊急時等において浴室を脱衣室側から開放することができる。また、アタッチメントを取り外すことにより、第２開口にガラス等を装着することができ、通常のドア本体と緊急時開放用のドア本体と、を兼用させ得るようになっている。
【先行技術文献】
【特許文献】
【０００３】
【特許文献１】実開平７−１１６８９号公報
【発明の概要】
【発明が解決しようとする課題】
【０００４】
このような、従来の浴室折り戸では、パネル体を左右けんどん式で着脱する際に、パネル体が気密材と擦れ合うと共に気密材をこじるため、着脱のけんどん動作が重く且つ煩雑になる問題があった。また、パネル体とドア本体との間にアタッチメントが介設され、且つパネル体に左縦アタッチメントに弾発する板ばねが設けられているため、パネル体廻りの構造が複雑になる問題があった。さらに、アタッチメントを設けた分、採光面積が小さくなり且つ浴室折り戸全体の意匠性が損なわれる問題があった。
【０００５】
本発明は、単純な構造で、浴室用扉の下パネル装着部を簡単に開放することができる着脱用パネル体、浴室用扉および浴室用扉の改修方法を提供することを課題としている。
【課題を解決するための手段】
【０００６】
本発明の着脱用パネル体は、框組みされた中桟、下框および両縦框により構成された浴室用扉の下パネル装着部に対し、けんどん式で着脱可能に装着される着脱用パネル体であって、中桟の下向き溝に下側から挿入される上縁材、下框の上向き溝に上側から挿入される下縁材、および両縦縁材を、枠組みして成る四周縁材と、四周縁材に装着された面材パネルと、けんどん動作を行うための、浴室側の内指掛け部および脱衣室側の外指掛け部と、を備え、上縁材は、面材パネルが装着される上縁材本体と、上縁材本体に設けられ、下向き溝に挿入されると共に曲げにより上縁材本体の見込み方向への傾動を許容する傾動許容部と、を有し、内指掛け部および外指掛け部のうちの少なくとも一方は、上縁材に設けた下向き指掛け片と、下縁材に設けた上向き指掛け片と、を有し、下向き指掛け片および上向き指掛け片は、それぞれ面材パネルとオーバーラップするように設けられていることを特徴とする。
【０００７】
この構成によれば、中桟の下向き溝に挿入される傾動許容部が、曲げにより上縁材本体の見込み方向への傾動を許容する構造となっているため、けんどん動作において、傾動許容部が中桟の下向き溝を構成する部材に対しコジリを生ずることがない。このため、けんどんの着脱動作を円滑に且つ簡単に行うことができる。また、コジリが生じない分、下向き溝と傾動許容部との間の嵌合い公差を小さくすることができる。このため、下部パネル装着部に装着した状態でのガタツキを抑制することができる。また、上下のけんどん式であるため、従来技術のようにアタッチメントやばね等が不要であり、構造を単純化することができる。なお、上縁材本体と傾動許容部とは、一体に形成（成形）されていてもよいし、別体に形成さていてもよい。
また、上縁材および下縁材から見込み方向に大きく突出させることなく、内指掛け部および／または外指掛け部を設けることができる。したがって、内指掛け部や外指掛け部により、着脱用パネル体全体の意匠性が損なわれることがない。また、下向き指掛け片および上向き指掛け片により、けんどんの操作性が損なわれることがない。
【０００８】
この場合、傾動許容部は、上縁材本体に取り付けられた上挿入ベースと、下向き溝に挿入されると共に、上挿入ベースに回動自在に連結された上挿入部と、を有していることが好ましい。
【０００９】
この構成によれば、傾動許容部を回動自在とする構造により、上縁材本体の傾動を円滑に、すなわちけんどんの着脱動作を円滑に行うことができる。なお、回動の構造は、上挿入ベースおよび上挿入部の一方に設けたヒンジピン部と、他方に設けたヒンジ受け部とで構成することが好ましい。また、上挿入ベースおよび上挿入部は、形材で形成することが好ましい。
【００１０】
この場合、四周縁材は、上縁材および下縁材に対し縦縁材が通しで枠組みされ、上挿入ベースは、上縁材本体を上側から覆うと共に、四周縁材の横方向寸法に対応する長さに形成されていることが好ましい。
【００１１】
形材を枠組みする場合、一般的には、縦通し材側の端部を「Ｌ」字状に切り欠いて枠組みする。これにより、縦通し材の端面を露出させることなく枠組みすることができる。しかし、現場合せで枠組みする場合、手作業で縦通し材の端部を「Ｌ」字状に切断することは非常に難しく、直角に単純に切断することとなる。このため、縦通し材の端面が露出した枠組みとせざるを得ない。
上記の構成によれば、四周縁材が、縦通し材である縦縁材の端面を露出した枠組みであっても、上挿入ベースが上縁材本体を上側から覆う構造となっているため、縦縁材の露出端面を隠蔽することができる。このことはまた、露出部分のない四周縁材を現場合せで作製することを可能とする。さらに、上挿入ベースの上挿入部との連結部分が上方に突出していれば、これを水返しとして機能させることができる。
【００１２】
また、上挿入部は、四周縁材の横方向寸法に対応する長さに形成され、上挿入部の浴室側には、下り傾斜の水返し片が設けられていることが好ましい。
【００１３】
この構成によれば、上挿入部に設けた水返し片により、中桟との係合部分の水密性を維持することができる。
【００１４】
さらに、上挿入ベースおよび上挿入部の少なくとも一方には、上縁材本体の見込み方向浴室側への傾動を規制する内側傾動規制部が設けられていることが好ましい。
【００１５】
この構成によれば、けんどんの着脱動作において、着脱用パネル体を脱衣室側に傾動させて行う構造とすることができると共に、けんどん動作を簡単かつ安定して行うことができる。
【００１６】
同様に、上挿入ベースおよび上挿入部の少なくとも一方には、上縁材本体の見込み方向脱衣室への傾動を所定の傾動角度に規制する外側傾動規制部が設けられていることが好ましい。
【００１７】
この構成によれば、上挿入ベース（上縁材本体）に対する上挿入部の角度を適度な範囲に維持することができる。これにより、けんどん動作における上挿入部の下向き溝への挿入および引き抜きを円滑に行うことができる。すなわち、けんどん動作を円滑に行うことができる。
【００２０】
また、下縁材は、面材パネルが装着される下縁材本体と、下縁材本体に設けられ、上向き溝に挿入される下挿入部が突設された下装着部と、を有していることが好ましい。
【００２１】
この構成によれば、下縁材本体と下装着部とを一体に形成（成形）してもよいが、これを別体とすることにより、下縁材本体と上記の上縁材本体と、を同一の形材で形成することが可能となる。
【００２２】
この場合、四周縁材は、上縁材および下縁材に対し縦縁材が通しで枠組みされ、下装着部は、下縁材本体を下側から覆うと共に、四周縁材の横方向寸法に対応する長さに形成されていることが好ましい。
【００２３】
この構成によれば、四周縁材が、縦通し材である縦縁材の端面を露出した枠組みであっても、下装着部が下縁材本体を上側から覆う構成になっているため、縦縁材の露出端面を隠蔽することができる。このことはまた、四周縁材を現場合せで作製することを可能とする。
【００２４】
さらに、各縦縁材は、面材パネルが装着される縦縁材本体と、縦縁材本体に取り付けられ、対応する縦框に密接するシール材と、を有し、シール材は、浴室側の内側シール材と、脱衣室側の外側シール材とから成ることが好ましい。
【００２５】
この構成によれば、縦縁材と縦框との間を、内側シール材および外側シール材により内外二重にシールすることができる。したがって、着脱構造であっても、この部分の水密性を適切に維持することができる。
【００２６】
本発明の他の着脱用パネル体は、框組みされた中桟、下框および両縦框により構成された浴室用扉の下パネル装着部に対し、けんどん式で着脱可能に装着される着脱用パネル体であって、中桟の下向き溝に下側から挿入される上縁材、下框の上向き溝に上側から挿入される下縁材、および両縦縁材を、枠組みして成る四周縁材と、四周縁材に装着された面材パネルと、を備え、上縁材は、面材パネルが装着される上縁材本体と、上縁材本体に設けられ、下向き溝に挿入されると共に曲げにより上縁材本体の見込み方向への傾動を許容する傾動許容部と、を有し、傾動許容部は、上縁材本体に取り付けられた上挿入ベースと、上挿入ベースに取り付けられ、下向き溝に挿入されると共に湾曲変形可能に構成された変形挿入部と、を有していることを特徴とする。
【００２７】
この構成によれば、中桟の下向き溝に挿入される傾動許容部が、曲げにより上縁材本体の見込み方向への傾動を許容する構造となっているため、けんどん動作において、傾動許容部が中桟の下向き溝を構成する部材に対しコジリを生ずることがない。このため、けんどんの着脱動作を円滑に且つ簡単に行うことができる。また、コジリが生じない分、下向き溝と傾動許容部との間の嵌合い公差を小さくすることができる。このため、下部パネル装着部に装着した状態でのガタツキを抑制することができる。また、上下のけんどん式であるため、従来技術のようにアタッチメントやばね等が不要であり、構造を単純化することができる。なお、上縁材本体と傾動許容部とは、一体に形成（成形）されていてもよいし、別体に形成さていてもよい。
また、けんどん動作において変形挿入部が適宜、湾曲変形する。このため、中桟の下向き溝を構成する部材に対しコジリを生ずることがなく、けんどんの着脱動作を円滑に且つ簡単に行うことができる。また、コジリが生じない分、下向き溝と傾動許容部との間の嵌合い公差を小さくすることができる。さらに、アタッチメントやばね等が不要であり、構造を単純化することができる。なお、変形挿入部はコムや樹脂で構成することが好ましく、併せて、変形挿入部にシールの機能を持たせることも好ましい。
【００２８】
本発明の浴室用扉は、框組みされた中桟、下框および両縦框により構成された浴室用扉の下パネル装着部に、上記した着脱用パネル体を、装着して成ることを特徴とする。
【００２９】
この構成によれば、着脱用パネル体が、下パネル装着部に対しけんどん式で着脱可能に装着されているため、下パネル装着部を非常時等における救出口或いは脱出口として活用することができる。例えば、浴室用扉が施錠状態で、浴室使用者が倒れた場合、着脱用パネル体を外せば下パネル装着部を救出口として利用することができる。また、浴室用扉の錠が壊れた場合、下パネル装着部を浴室使用者の脱出口として利用することができる。
【００３０】
本発明の浴室用扉の改修方法は、框組みした上框、中桟、下框および両縦框と、上框、中桟および両縦框により構成された上パネル装着部に装着された上パネルと、中桟、下框および両縦框により構成された下パネル装着部に装着された下パネルと、を備えた既設の浴室用扉に、上記した着脱用パネル体を取り付ける浴室用扉の改修方法であって、下パネル装着部から下パネルを取り外す取外し工程と、下パネル装着部の内法を採寸する採寸工程と、内法の採寸結果に基づいて、着脱用パネル体を現場組立てする組立工程と、下パネル装着部に、組み立てた着脱用パネル体を装着する装着工程と、を備えたことを特徴とする。
【００３１】
ところで、既設の浴室用扉は、建築工事で施工された開口部に合わせて取り付けられている。すなわち、浴室用扉の扉枠は開口部に合わせて取り付けられ、浴室用扉はこの扉枠に合わせて取り付けられている。このため、浴室用扉の各部の縦横の寸法等は、設計上の寸法と施工時の寸法とが異なることが一般的である。
この構成によれば、下パネル装着部を採寸し、着脱用パネル体を現場組立てするようにしているため、現場合せで着脱用パネル体を作製することができる。すなわち、改修対象となる浴室用扉（下パネル装着部）の寸法に合わせて、着脱用パネル体を現場で簡単に作製することができる。したがって、着脱用パネル体を組み込むための改修工事を、適切且つ効率良く行うことができる。
【００３２】
この場合、組立工程では、取外し工程で取り外した下パネルを切り詰めて、面材パネルを形成することが好ましい。
【００３３】
この構成によれば、既設の下パネルと新設の面材パネルとの間で、見かけ上の違和感が生ずることがなく、改修により浴室用扉の意匠性が損なわれることがない。また、資源を有効活用することができると共に、廃棄物を削減することができる。
【図面の簡単な説明】
【００３４】
【図１】実施形態に係る着脱用パネル体を取り付けた既設浴室ドアの姿図である。
【図２】改修後の既設浴室ドアの縦断面図（ａ）、および改修前の既設浴室ドアの縦断面図（ｂ）である。
【図３】改修後の既設浴室ドアの横断面図（ａ）、および改修前の既設浴室ドアの横断面図（ｂ）である。
【図４】改修後の既設浴室ドアの拡大縦断面図（ａ）、およびそのけんどんの動作を示す拡大横断面図（ｂ）である。
【図５】改修後の既設浴室ドアの拡大横断面図である。
【図６】実施形態に係る着脱用パネル体を有する新設浴室ドアの姿図である。
【図７】第２実施形態に係る着脱パネル体の部分拡大縦断面図である。
【発明を実施するための形態】
【００３５】
以下、添付の図面を参照して、本発明の一実施形態に係る着脱用パネル体、浴室用扉および浴室用扉の改修方法を、浴室ドアに適用した場合について説明する。この着脱用パネル体は、既設、新設を問わず浴室ドアの下パネルの部分に着脱可能に設けられ、これを取り外すことにより、浴室ドアに非常時（緊急時）の救出口や脱出口を構成するものである。以下、既設の浴室ドア（以下、「既設浴室ドア」という。）に設けられる着脱用パネル体、この着脱用パネル体を取り付ける既設浴室ドアの改修方法、およびこの着脱用パネル体が取り付けられた新設の浴室ドア（以下、「新設浴室ドア」という。）の順で、説明を進める。
【００３６】
図１は、着脱用パネル体を取り付けた改修後の既設浴室ドアの姿図である。図２は、改修後の既設浴室ドアの縦断面図（ａ）および改修前の既設浴室ドアの縦断面図（ｂ）であり、図３は、改修後の既設浴室ドアの横断面図（ａ）および改修前の既設浴室ドアの横断面図（ｂ）である。これらの図に示すように、既設浴室ドア１００は、浴室Ａと脱衣室Ｂとの間の開口部に設けられ、浴室Ａ側に開放される扉体１０１（浴室用扉）と、扉体１０１を開閉自在に支持するドア枠１０２とて構成されている。
【００３７】
扉体１０１は、上框１１１、下框１１２、両縦框１１３および中桟１１４を框組みした框体１１０と、框体１１０の上半部に装着した上パネル１１６と、框体１１０の下半部に装着した下パネル１１７と、を備えている。この場合、上框１１１、中桟１１４および両縦框１１３で囲まれた框体１１０の上半部には、上パネル装着部１１８が構成され、この上パネル装着部１１８に上パネル１１６が装着されている。同様に、中桟１１４、下框１１２および両縦框１１３で囲まれた框体１１０の下半部には、下パネル装着部１１９が構成され、この下パネル装着部１１９に下パネル１１７が装着されている。
【００３８】
また、扉体１０１は、吊り元側において、上下一対の丁番１２１を介してドア枠１０２に開閉自在に支持されている。一方、中桟１１４の戸先寄りには、ドアノブ１２２が設けられると共に、この部分には図示しないがドア錠が内蔵されている。さらに、図示では省略したが、扉体１０１には、四周に亘ってシール材が設けられており、ドア枠１０２との間の水密性が維持されている。なお、框体１１０およびドア枠１０２は、アルミニウムの押出し形材等で形成され、上パネル１１６および下パネル１１７は、樹脂等で形成されている。
【００３９】
図２および図３に示すように、本実施形態の着脱用パネル体１は、上記の下パネル装着部１１９に装着されるが、既設浴室ドア１００の扉体１０１には、この部分にビード１２４を介して下パネル１１７が取り付けられている（図２（ｂ）および図３（ｂ）参照）。このため、中桟１１４には、その下端部に形成した断面「Ｃ」字状のパネル取付け部１１４ａにより、下パネル１１７が装着される下向き溝１２５（呑込み溝）が形成されている。同様に、下框１１２には、そのパネル取付け部１１２ａに上向き溝１２６（呑込み溝）が形成され、各縦框１１３には、そのパネル取付け部１１３ａに横向き溝１２７（呑込み溝）が形成されている（図４および図５参照）。
【００４０】
図１ないし図３に示すように、着脱用パネル体１は、上記の下パネル１１７に代えて、下パネル装着部１１９に着脱可能に装着されている。着脱用パネル体１は、中桟１１４の下向き溝１２５に下側から挿入される上縁材３、下框１１２の上向き溝１２６に下側から挿入される下縁材４、および両縦縁材５を、枠組みして成る四周縁材２と、四周縁材２に装着された面材パネル６と、を備えている。
【００４１】
面材パネル６は、四周に亘って設けたビード８を介して、四周縁材２に装着されている。この場合も、四周縁材２は、アルミニウムの押出し形材等で形成され、面材パネル６は、樹脂等で形成されている。もっとも、詳細は後述するが、面材パネル６は、上記の下パネル１１７を切り詰めて用い、ビード８も、上記既存のビード１２４切り詰めて用いている。
【００４２】
図２（ａ）および図４に示すように、上縁材３は、面材パネル６が装着される上縁材本体１１と、上縁材本体１１に設けられ、下向き溝１２５に挿入されると共に曲げにより上縁材本体１１の見込み方向への傾動を許容する傾動許容部１２と、を有している。また、傾動許容部１２は、上縁材本体１１に取り付けられた上挿入ベース１４と、下向き溝１２５に挿入されると共に、上挿入ベース１４に回動自在に連結された上挿入部１５と、で構成されている。そして、上縁材本体１１、上挿入ベース１４および上挿入部１５は、それぞれ別体の形材で形成されている。
【００４３】
上縁材本体１１は、断面「Ｃ」字状に形成され、開口部分を下向きにして配設されている。上縁材本体１１の内側には、ビスホール１６と、開口部分に連なり面材パネル６が装着される下向き呑込み溝１７とが形成されている。また、上縁材本体１１には、浴室Ａ側および脱衣室Ｂ側に位置して、一対の下向き指掛け片１８が延設されている。この場合、上縁材本体１１と一対の下向き指掛け片１８とは、一体に形成（成形）されている。
【００４４】
各下向き指掛け片１８は、面材パネル６とオーバーラップするように垂設されており、けんどん動作のための指掛け部位として機能する。この場合、浴室Ａ側の下向き指掛け片１８は、後述する下縁材４の浴室Ａ側の上向き指掛け片３７と共に、請求項に言う内指掛け部９Ａを構成し、脱衣室Ｂ側の下向き指掛け片１８は、後述する下縁材４の脱衣室Ｂ側の上向き指掛け片３７と共に、請求項に言う外指掛け部９Ｂを構成している。
【００４５】
上挿入ベース１４は、断面逆「Ｕ」字状に形成されたベース本体２１と、ベース本体２１の上面に立設したヒンジピン部２２と、で一体に形成されている。ベース本体２１は、上縁材本体１１を上側から覆うように装着され、この状態で、上縁材本体１１にビス止めされている。また、ベース本体２１は、四周縁材２の横方向寸法に対応する長さ（同一長さ）に形成されており、上縁材本体１１の上面およびこれに枠組みされた両縦縁材５の上端面を覆うようになっている（詳細は、後述する）。この場合、ベース本体２１の下端位置と上縁材本体１１の下端位置とは一致しており、この下端位置から上記の下向き指掛け片１８が垂下された形態となっている。なお、下向き指掛け片１８は、ベース本体２１（上挿入ベース１４）に設けるようにしてもよい。
【００４６】
ヒンジピン部２２は、断面鍵穴状に形成されており、ベース本体２１の見込み方向の中間部に立設されている。また、ヒンジピン部２２は、ベース本体２１と同様に、四周縁材２の横方向寸法に対応する長さ（同一長さ）に形成されている。これにより、ヒンジピン部２２は、水返しとしても機能している。そして、ヒンジピン部２２の断面円形部分に、上挿入部１５が回動自在に連結されている。
【００４７】
上挿入部１５は、ヒンジピン部２２に連結された挿入部本体２４と、挿入部本体２４から浴室Ａ側に延びる水返し片２５と、で一体に形成（成形）されている。この場合も、上挿入部１５は、四周縁材２の横方向寸法に対応する長さ（同一長さ）に形成されている。挿入部本体２４は、基部側が、ヒンジピン部２２の断面円形部分と相補的な断面略円形の溝状に形成され、先端側が二股に形成されている。そして、挿入部本体２４は、全体として、上記の中桟１１４に形成した下向き溝１２５に挿入されるようになっている。なお、上挿入部１５側をヒンジピンの形態とし、上挿入ベース１４側をピン受けの形態としてもよい。
【００４８】
けんどん動作において、下向き溝１２５に挿入した挿入部本体２４の上端を中桟１１４の隔壁部１１４ｂに突き当てた状態が、着脱用パネル体１の上動端位置であり、この状態から着脱用パネル体１を脱衣室Ｂ側に回動（傾動）させて、着脱用パネル体１の離脱が為され、逆の手順で、着脱用パネル体１の装着が為される（図４（ｂ）参照）。なお、上挿入部１５の上挿入ベース１４への組付け（連結）は、上挿入部１５を上挿入ベース１４の小口からスライドさせるように装着することで行われる。
【００４９】
挿入部本体２４の浴室Ａ側には、下向き突起２６（内側傾動規制部）が延設されている。下向き突起２６は、着脱用パネル体１が下パネル装着部１１９に装着された状態で、ベース本体２１の上面に当接している（図４（ａ）参照）。すなわち、下向き突起２６は、着脱用パネル体１の装着位置から浴室Ａ側への回動を規制（阻止）している。これにより、けんどんの着脱動作において、着脱用パネル体１を脱衣室Ｂ側に傾動させる構造とすることができると共に、けんどん動作を簡単かつ安定して行うことができる。
【００５０】
例えば、浴室Ａの使用者が、着脱用パネル体１に寄りかかるように倒れた場合、脱衣室Ｂ側に位置する救助者は、使用者が邪魔になって、既設浴室ドア１００を開けることができない。かかる場合に、着脱用パネル体１が脱衣室Ｂ側に開放される構造であれば、着脱用パネル体１を取り外して使用者を救助することができる。但し、着脱用パネル体１を脱衣室Ｂ側に開放する構造では、十分な水密性を確保する必要がある。なお、下向き突起２６に相当する内側傾動規制部をベース本体２１に設けるようにしてもよい。
【００５１】
また、挿入部本体２４の脱衣室Ｂ側には、横向き突起２７（外側傾動規制部）が延設されている。横向き突起２７は、着脱用パネル体１を脱衣室Ｂ側に所定の角度回動（傾動）させたところで、ベース本体２１の上面に当接する（図４（ｂ）参照）。すなわち、横向き突起２７は、けんどん動作における着脱用パネル体１の傾動を所定の角度に規制し、操作者をして、傾動から上挿入部１５の引抜きに移行するタイミングを体感させ得るようになっている。また、上挿入ベース１４（上縁材本体１１）に対する上挿入部１５の角度を適度な範囲に維持することができる。これにより、けんどん動作における上挿入部１５の下向き溝１２５への挿入および引き抜きを円滑に行うことができる。すなわち、けんどん動作を円滑に行うことができる。
【００５２】
水返し片２５は、挿入部本体２４の基端部から浴室Ａ側に下り傾斜で延在しており、水返し片２５の上面と、挿入部本体２４の浴室Ａ側の側面とにより、いわゆる水返しが構成されている。水返し片２５の先端は、下向き突起２６と同様に、着脱用パネル体１が下パネル装着部１１９に装着された状態で、ベース本体２１の端部上面に当接している（図４（ａ）参照）。すなわち、水返し片２５も下向き突起２６と同様に、着脱用パネル体１の装着位置から浴室Ａ側への回動を規制（阻止）している。また、水返し片２５は、下向き突起２６と共にベース本体２１の上面に当接し、下パネル装着部１１９に装着された着脱用パネル体１のガタツキを防止している。なお、横向き突起２７に相当する外側傾動規制部をベース本体２１に設けるようにしてもよい。
【００５３】
図２（ａ）および図４に示すように、下縁材４は、面材パネル６が装着される下縁材本体３１と、下縁材本体３１に設けられ、上向き溝１２６に挿入される下挿入部３３が突設された下装着部３２と、を有している。また、下縁材本体３１と下装着部３２とは、それぞれ別体の形材で形成されている。
【００５４】
下縁材本体３１は、断面「Ｃ」字状に形成され、上縁材本体１１と同一の断面形状に形成されている。すなわち、上縁材本体１１と下縁材本体３１とは、共通の形材を切断して形成されている。したがって、下縁材本体３１の内側には、ビスホール３５と、面材パネル６が装着される上向き呑込み溝３６とが形成されている。また、上縁材本体１１と同様に、下縁材本体３１にも、浴室Ａ側および脱衣室Ｂ側にそれぞれ位置して、一対の上向き指掛け片３７が延設されている。
【００５５】
脱衣室Ｂ側に位置する操作者は、脱衣室Ｂ側の下向き指掛け片１８および上向き指掛け片３７（外指掛け部９Ｂ）に手をかけて、着脱用パネル体１をいったん上動させてから手前に傾動させ、さらに下動させてこれを離脱させる。また、逆の手順で、着脱用パネル体１を装着する（図４（ｂ）参照）。一方、浴室Ａ側に位置する操作者（浴室Ａの使用者）は、浴室Ａ側の下向き指掛け片１８および上向き指掛け片３７（内指掛け部９Ａ）に手をかけて、着脱用パネル体１をいったん上動させてから先方に傾動させ、さらに下動させてこれを離脱させる。
【００５６】
下装着部３２は、上挿入ベース１４と同様の断面逆「Ｕ」字状の基本形態を有する装着部本体３８と、装着部本体３８から下方に突出した下挿入部３３と、で一体に形成されている。また、下装着部３２は、四周縁材２の横方向寸法に対応する長さ（同一長さ）に形成されている。
【００５７】
装着部本体３８は、上記のベース本体２１と同様に、下縁材本体３１に下側から覆うように装着され、この状態で、下縁材本体３１にビス止めされている。また、装着部本体３８は、下縁材本体３１の下面およびこれに枠組みされた両縦縁材５の下端面を覆うようになっている（詳細は、後述する）。この場合も、下縁材本体３１の上端位置と装着部本体３８の上端位置とは一致している。なお、上向き指掛け片３７を、下縁材本体３１に代えて、装着部本体３８に設けるようにしてもよい。
【００５８】
下挿入部３３は、断面「Ｕ」字状に形成され、装着部本体３８の見込み方向の中間部に突設されている。そして、下挿入部３３は、上記の下框１１２の上向き溝１２６に挿入される。また、下挿入部３３が上向き溝１２６に挿入された状態で、装着部本体３８の下面が、下框１１２のパネル取付け部１１２ａの上面に着座するようになっている（図４（ａ）参照）。この場合、下挿入部３３は、着脱用パネル体１が上動端位置に移動した状態で、上向き溝１２６から外れ（離脱）、けんどん動作を可能にしている（図４（ｂ）参照）。
【００５９】
図３（ａ）および図５に示すように、各縦縁材５は、面材パネル６が装着される縦縁材本体４１と、縦縁材本体４１に取り付けられ、対応する縦框１１３に密接するシール材４２と、を有している。また、シール材４２は、浴室Ａ側の内側シール材４２Ａと、脱衣室Ｂ側の外側シール材４２Ｂとで構成されている。この場合、内側シール材４２Ａおよび外側シール材４２Ｂは、同一の断面形状を有している。
【００６０】
縦縁材本体４１は、面材パネル６が装着される横向き呑込み溝４５を形成した断面「Ｃ」字状のパネル保持部４４と、パネル保持部４４の背面側に形成され内外一対のシール保持部４６と、で一体に形成（成形）されている。パネル保持部４４は、上縁材本体１１や下縁材本体３１と同様に、断面「Ｃ」字状に形成され、その開放部分には、面材パネル６が装着される横向き呑込み溝４５が形成されている。
【００６１】
各シール保持部４６は、断面があり溝状に形成され、内部にシール材４２が保持されている。各シール材４２は、鏃状に形成したシール材本体４８ａと、シール材本体４８ａから延在するシール片４８ｂとで一体に形成されている。また、各シール材４２は、延在方向においてシール保持部４６と同じ長さに形成され、シール材本体４８ａの部分で、シール保持部４６に小口からスライドさせて装着される。シール片４８ｂは、先端側が鋭角に形成され、シール保持部４６から斜め外方に突出している。
【００６２】
着脱用パネル体１を下パネル装着部１１９に装着すると、内側シール材４２Ａおよび外側シール材４２Ｂ（のシール片４８ｂ）が、上記の縦框１１３に形成されたパネル取付け部１１３ａの先端面にそれぞれ密接する。一方、パネル取付け部１１３ａに密接した各シール材４２は、パネル取付け部１１３ａから反力を受け、そのシール材本体４８ａがシール保持部４６の内面に密接する。これにより、縦縁材５と縦框１１３との間の水密性が維持されるようになっている。
【００６３】
このように、本実施形態（第１実施形態）の着脱用パネル体１によれば、中桟１１４の下向き溝１２５に挿入される傾動許容部１２が、回動する構造となっているため、けんどん動作において、傾動許容部１２（挿入部本体２４）が下向き溝１２５を構成するパネル取付け部１１４ａに対しコジリを生ずることがない。このため、けんどんの着脱動作を円滑に且つ簡単に行うことができる。また、コジリが生じない分、下向き溝１２５と傾動許容部１２との間の嵌合い公差を小さくすることができる。このため、下パネル装着部１１９に装着した状態でのガタツキを抑制することができる。また、上下のけんどん式であるため、従来技術のようにアタッチメントやばね等が不要であり、構造を単純化することができる。
【００６４】
次に、既設浴室ドア１００の改修方法について説明する。この改修方法は、既設浴室ドア１００の下パネル１１７を外して、着脱用パネル体１を取り付けるものである。本実施形態の改修方法は、既設浴室ドア１００の扉体１０１を一対の丁番１２１から取り外すドア外し工程と、外した扉体１０１に対し、その下パネル装着部１１９から下パネル１１７を取り外す取外し工程と、下パネル装着部１１９の内法を採寸する採寸工程と、内法の採寸結果に基づいて、着脱用パネル体１を現場組立てする組立工程と、扉体１０１を丁番１２１に再度取り付ける取付け工程と、取り付けた扉体１０１の下パネル装着部１１９に、組み立てた着脱用パネル体１を装着する装着工程と、を備えている。
【００６５】
ドア外し工程では、上下の丁番１２１の扉体１０１側の羽根板から、ねじを緩めて扉体１０１を外す。
取外し工程では、取り外した扉体１０１を横倒しにし、吊り元側の縦框１１３を外す。また、下框１１２の戸先側のねじを緩めておく。この状態で、下パネル装着部１１９から下パネル１１７およびビード１２４を外す。
採寸工程では、上記の取外し工程の前に、下パネル装着部１１９の縦横の内法寸法を採寸しておく。この採寸は、離間した縦２箇所および横２箇所に亘って実施する。
【００６６】
組立工程では、予め用意しておいた各縁材用の形材を、採寸した内法寸法に基づいて切断し、上縁材本体１１、上挿入ベース１４、上挿入部１５、下縁材本体３１、下装着部３２および縦縁材本体４１を形成する。同様に、予め用意しておいた長尺のシール原材を、採寸した内法寸法に基づいて切断し、計４本のシール材４２を形成する。この場合には、縦縁材本体４１の各シール保持部４６にシール原材を挿入装着してから、シール保持部４６の長さに合わせてシール材４２を切断することが好ましい。一方、面材パネル６およびビード８は、取外し工程で取り外した下パネル１１７およびビード１２４を、採寸した内法寸法に基づいて切り詰めて形成する。なお、既設の下パネル１１７およびビード１２４に損傷がある場合には、新品を用いる。
【００６７】
このようにして、着脱用パネル体１の構成部品が準備できたら、先ず上縁材本体１１、下縁材本体３１および一方の縦縁材本体４１（シール材４２が装着された状態）を組み上げる。この場合、言うまでもないが、縦縁材本体４１を通しとし、ビスホール１６，３５を利用して縦縁材本体４１の端部にそれぞれ上縁材本体１１および下縁材本体３１を組み付ける。続いて、面材パネル６を差し込み、上縁材本体１１および下縁材本体３１に他方の縦縁材本体４１を組み付ける。さらに、表裏両側にビード８を装着し、四周縁材２に面材パネル６を固定する。
【００６８】
ここで、枠状に組み上がった上縁材本体１１、下縁材本体３１および両縦縁材本体４１から成る四周縁材２の縦横の寸法を確認する。次に、上縁材本体１１に上挿入ベース１４を装着しビス止めする。同様に、下縁材本体３１に下装着部３２を装着しビス止めする。そして、最後に、上挿入ベース１４に上挿入部１５をスライド装着して、着脱用パネル体１の現場組立てを完了する。
【００６９】
取付け工程では、この着脱用パネル体１の組立工程と相前後して、下パネル１１７およびビード１２４を取り去った扉体１０１に対し、縦框１１３を再度取付け、緩めておいた下框１１２を再度ねじ締めする。このようにして、再度組み上げた既設の扉体１０１を上下の丁番１２１に取り付ける。
装着工程では、丁番１２１を介してドア枠１０２に取り付けた、既設の扉体１０１の下パネル装着部１１９に  着脱用パネル体１をけんどん式で装着する。
【００７０】
以上のように、既設浴室ドア１００の改修方法によれば、着脱用パネル体１を現場で組立てるようにしているため、現場合せで着脱用パネル体１を作製することができる。すなわち、改修対象となる既設浴室ドア１００（下パネル装着部１１９）の寸法に合わせて、着脱用パネル体１を簡単且つ効率良く作製することができる。また、既設の下パネル１１７およびビード１２４を再利用するようにしているため、改修の前後で既設浴室ドア１００の意匠性が損なわれることがない。また、資源を有効活用することができると共に、廃棄物を削減することができる。
【００７１】
次に、図６を参照して、本実施形態の着脱用パネル体１を有する新設浴室ドア５０について、説明する。この新設浴室ドア５０は、上記の既設浴室ドア１００と同一の基本形態を有している。すなわち、新設浴室ドア５０は、浴室Ａと脱衣室Ｂとの間の開口部に設けられ、浴室Ａ側に開放される扉体５１（浴室用扉）と、扉体５１を開閉自在に支持するドア枠５２とて構成されている。
【００７２】
扉体５１は、上框６１、下框６２、両縦框６３および中桟６４を框組みした框体６０と、框体６０の上半部に装着した上パネル６６と、框体６０の下半部に着脱自在に装着した上記の着脱用パネル体１と、を備えている。この場合、上パネル６６は、上框６１、中桟６４および両縦框６３で囲まれた上パネル装着部６７に，図示しないビードを介して装着されている。同様に、着脱用パネル体１は、中桟６４、下框６２および両縦框６３で囲まれた下パネル装着部６８に、けんどん式で着脱自在に装着されている。
【００７３】
また、扉体５１は、吊り元側において、上下一対の丁番７１を介してドア枠５２に開閉自在に支持されている。一方、中桟６４の戸先寄りには、ドアノブ７２が設けられると共に、この部分には図示しないがドア錠が内蔵されている。さらに、図示しないが、扉体５１には、四周に亘ってシール材が設けられており、ドア枠５２との間の水密性が維持されている。なお、框体６０およびドア枠５２は、アルミニウムの押出し形材等で形成され、上パネル６６は、樹脂等で形成されている。
【００７４】
このような、新設浴室ドア５０によれば、着脱用パネル体１が、下パネル装着部６８にけんどん式で着脱可能に装着されているため、着脱用パネル体１を取り外すことにより、下パネル装着部６８を非常時等における救出口或いは脱出口として活用することができる。これにより、扉体５１が施錠状態で、浴室利用者が倒れた場合、下パネル装着部６８を救出口として利用することができる。また、扉体５１のドア錠が壊れた場合、下パネル装着部６８を脱出口として利用することができる。
【００７５】
次に、図７を参照して、第２実施形態に係る着脱用パネル体１Ａについて、説明する。なお、この第２実施形態では、主に第１実施形態と異なる部分について説明する。
図７に示すように、第２実施形態の着脱用パネル体１Ａでは、その傾動許容部１２Ａが、上縁材本体１１に取り付けられた上挿入ベース１４Ａと、上挿入ベース１４Ａに取り付けられ、中桟１１４の下向き溝１２５に挿入されると共に湾曲変形可能に構成された変形挿入部８１と、を有している。そして、上挿入ベース１４Ａおよび変形挿入部８１は、四周縁材２の横方向寸法に対応する長さ（同一長さ）に形成されている。
【００７６】
この場合の上挿入ベース１４Ａは、その上面に変形挿入部８１を取り付けるための取付け部８３を有している。取付け部８３は、上挿入ベース１４Ａの見込み方向中間部において、上向きの断面あり溝状に形成されている。
【００７７】
変形挿入部８１は、弾力性を有するゴムや樹脂で構成されおり、取付け部８３に取り付けられる挿入基部８４と、挿入基部８４から上方に延び下向き溝１２５に挿入される変形部８５と、で一体に形成されている。変形部８５は、二股に形成され、湾曲変形を許容する。けんどんの離脱動作において、着脱用パネル体１Ａを脱衣室Ｂ側に傾動させると、変形部８５が湾曲変形する。
【００７８】
このように、第２実施形態によれば、けんどん動作において変形挿入部８１（変形部８５）が適宜、湾曲変形する。このため、下向き溝１２５を構成するパネル取付け部１１４ａに対しコジリを生ずることがなく、けんどんの着脱動作を円滑に且つ簡単に行うことができる。また、コジリが生じない分、下向き溝１２５と変形挿入部８１との間の嵌合い公差を小さくすることができる。さらに、アタッチメントやばね等が不要であり、構造を単純化することができる。なお、変形挿入部８１にシールの機能を持たせることが、より好ましい。また、言うまでもないが、第２実施形態の着脱用パネル体１Ａも、新設浴室ドア５０に適用可能である。
【００７９】
以上の実施形態では、本発明を、浴室ドアに適用した例について説明したが、本発明は、浴室折り戸や浴室引き戸等にも適用可能である。
【符号の説明】
【００８０】
１，１Ａ  着脱用パネル体、２  四周縁材、３  上縁材、４  下縁材、５  縦縁材、６  面材パネル、９Ａ  内指掛け部、９Ｂ  外指掛け部、１１  上縁材本体、１２，１２Ａ  傾動許容部、１４，１４Ａ  上挿入ベース、１５  上挿入部、１８  下向き指掛け片、２１  ベース本体、２２  ヒンジピン部、２４  挿入部本体、２５  水返し片、２６  下向き突起、２７  横向き突起、３１  下縁材本体、３２  下装着部、３３  下挿入部、３７  上向き指掛け片、４１  縦縁材本体、４２  シール材、４２Ａ  内側シール材、４２Ｂ  外側シール材、５０  新設浴室ドア、５１  扉体、６０  框体、６１  上框、６２  下框、６３  縦框、６４  中桟、６８  下パネル装着部、８１  変形挿入部、１００  既設浴室ドア、１０１  扉体、１１０  框体、１１１  上框、１１２  下框、１１３  縦框、１１４  中桟、１１６  上パネル、１１７  下パネル、１１８  上パネル装着部、１１９  下パネル装着部、１２５  下向き溝、１２６  上向き溝、Ａ  浴室、Ｂ  脱衣室
【図１】
0006391090.tif 000002
【図２】
0006391090.tif 000003
【図３】
0006391090.tif 000004
【図４】
0006391090.tif 000005
【図５】
0006391090.tif 000006
【図６】
0006391090.tif 000007
【図７】
0006391090.tif 000008